(57)【要約】【課題】メインスイッチの設定条件を調節するためのサブスイッチを明瞭に認識することができるリモコンを提供する。【解決手段】リモコン１の前面の左側におしり洗浄スイッチ２が設けられ、右側にビデスイッチ３が設けられている。スイッチ２，３の間に洗浄位置調節用の洗浄位置スイッチ４、洗浄強さ調節用の洗浄強さスイッチ５、ノズルからの噴出水温を調節するための水温スイッチ６、及びワイド機能入切用のワイドスイッチ７が設けられている。おしり洗浄スイッチ２の下部の右側方には、単独サブスイッチとして、マイルド機能入切用のマイルドスイッチ８と、マッサージ機能入切用のマッサージスイッチ９とが設けられている。【選択図】図１
2010043500.tif 000002
【特許請求の範囲】
【請求項１】
制御対象機器の少なくとも始動を行うためのメインスイッチと、該制御対象機器の設定条件を変更するためのサブスイッチとを有するリモコンにおいて、
共通する設定条件を有したメインスイッチを複数個有しており、この共通設定条件を変更するための共通サブスイッチをそれぞれのメインスイッチに関連付ける形態にて配置したことを特徴とするリモコン。
【請求項２】
請求項１において、
共通する設定条件を有したメインスイッチ同士がそれらの間に間隔をあけて配置され、
前記共通サブスイッチがこれらのメインスイッチ同士の間に配置されていることを特徴とするリモコン。
【請求項３】
請求項２において、該共通サブスイッチは、該メインスイッチ同士を結ぶ方向に延在していることを特徴とするリモコン。
【請求項４】
請求項２又は３において、前記リモコンは壁面に設置されるものであり、
前記メインスイッチとして、該リモコンの前面の左側及び右側の一方に第１のメインスイッチが配置され、他方に第２のメインスイッチが配置され、
該第１のメインスイッチ、共通サブスイッチ及び第２のメインスイッチの下方に、制御対象機器の停止を行うための止スイッチが左右方向に延在して配置されていることを特徴とするリモコン。
【請求項５】
請求項４において、第１のメインスイッチの下部は第２のメインスイッチよりも下方に延在しており、
該第１のメインスイッチの設定条件のみを変更するための単独サブスイッチが、該第１のメインスイッチの下部における第２のメインスイッチ側の側方に配置されていることを特徴とするリモコン。
【請求項６】
請求項５において、前記共通サブスイッチ及び単独サブスイッチは左右方向に延在しており、
該共通サブスイッチ及び単独サブスイッチの左右方向の長さが略同一であることを特徴とするリモコン。
【請求項７】
請求項２又は３において、前記リモコンは壁面に設置されるものであり、
前記メインスイッチとして、該リモコンの前面の上部及び下部の一方に第１のメインスイッチが配置され、他方に第２のメインスイッチが配置され、
該第１のメインスイッチ、共通サブスイッチ及び第２のメインスイッチの側方に、制御対象機器の停止を行うための止スイッチが上下方向に延在して配置されていることを特徴とするリモコン。
【請求項８】
請求項７において、第１のメインスイッチの一方の側部は第２のメインスイッチの該一方の側部よりも該一方の側方に延在しており、
該第１のメインスイッチの設定条件のみを変更するための単独サブスイッチが、該第１のメインスイッチの該一方の延在部分における第２のメインスイッチ側に配置されていることを特徴とするリモコン。
【請求項９】
請求項８において、前記共通サブスイッチ及び単独サブスイッチは上下方向に延在しており、
該共通サブスイッチ及び単独サブスイッチの上下方向の長さが略同一であることを特徴とするリモコン。
【請求項１０】
請求項１において、
共通する設定条件を有したメインスイッチが複数個並列に配置され、
前記共通サブスイッチがこれらの並列された複数のメインスイッチに沿って延在していることを特徴とするリモコン。
【請求項１１】
請求項１０において、前記複数のメインスイッチに沿って複数の共通サブスイッチが平行に配置されていることを特徴とするリモコン。
【請求項１２】
請求項１１において、１個のメインスイッチの設定条件のみを変更するための単独サブスイッチが、前記共通サブスイッチを挟んで該メインスイッチと反対側に配置されていることを特徴とするリモコン。
【請求項１３】
スイッチ設置部を備えた衛生洗浄装置であって、該スイッチ設置部には、制御対象機器の少なくとも始動を行うためのメインスイッチと、該制御対象機器の設定条件を変更するためのサブスイッチとが設けられている衛生洗浄装置において、
共通する設定条件を有したメインスイッチが複数個設けられており、この共通設定条件を変更するための共通サブスイッチがそれぞれのメインスイッチに関連付ける形態にて配置されていることを特徴とする衛生洗浄装置。
【請求項１４】
請求項１３において、
共通する設定条件を有したメインスイッチ同士がそれらの間に間隔をあけて配置され、
前記共通サブスイッチがこれらのメインスイッチ同士の間に配置されていることを特徴とする衛生洗浄装置。
【請求項１５】
請求項１４において、該共通サブスイッチは、該メインスイッチ同士を結ぶ方向に延在していることを特徴とする衛生洗浄装置。
【発明の詳細な説明】
【技術分野】
【０００１】
本発明はリモコンに係り、特に温水洗浄便座などの衛生洗浄装置に好適なリモコンに関する。また、本発明は衛生洗浄装置に関する。
【背景技術】
【０００２】
温水洗浄便座用のリモコンには、おしり洗浄スイッチ、ビデスイッチ、温風乾燥用の乾燥スイッチなどのメインスイッチと共に、これらの洗浄や乾燥を停止させるための止スイッチ（ストップスイッチ）が設けられている。また、上記メインスイッチの設定条件たとえば温水の温度や洗浄強さを調節するためのサブスイッチが設けられている。
【０００３】
特開２００４−６０３３２の図２には、おしりスイッチの右隣にパワフルスイッチとマッサージスイッチとを配置したリモコンが記載されているが、洗浄強さや温水の温度を調節するためのスイッチは、おしりスイッチやビデスイッチからは離隔している。
【０００４】
特開２００５−１６８７１９の図３〜５には、おしりスイッチの下方に洗浄強さ調節スイッチを配列したリモコンが記載されているが、この洗浄強さ調節スイッチはビデスイッチから左下方に離隔している。
【０００５】
なお、衛生洗浄装置として、便座ボックスなどの便器上面部材と一体の張出部（袖部）を備え、この張出部の上面のスイッチ設置部に各種スイッチを配置したものも数多く市販されている。
【０００６】
第６図はかかる衛生洗浄装置を備えた洋風便器の斜視図である。
【０００７】
洋風便器３１の後部上面にロータンク３２が設置され、このロータンク３２の前面側に便座ボックス３３が設置されている。この便座ボックス３３は、洋風便器３１の側方に張り出す張出部３４を有し、この張出部３４の上面にスイッチ設置部としてスイッチパネル３５が設けられている。張出部３４内には温水タンク等が設置されている。
【０００８】
便座ボックス３３には、洗浄ノズル３６，３７の他、図示は省略するが、該温水タンクから洗浄ノズル３６，３７に温水を供給するためのポンプ、該ポンプからの温水を洗浄ノズル３６，３７のいずれかに供給するための洗浄ノズル切替弁のほか、温風乾燥ファンや便器脱臭装置等が設けられている。スイッチパネル３５には、これらの機器を制御するためのスイッチが設けられている。
この便座ボックス３３には、便座３８、便蓋３９が上下方向に回動可能に取り付けられている。
【０００９】
トイレルームの壁面に設けられた止水栓４０から給水ホース４１を介して張出部３４内の温水タンクへ給水可能とされている。止水栓４０は、配管４２を介してロータンク３２のボールタップ（図示略）に接続されている。
【００１０】
トイレルームの壁面に設けられたコンセント４３からプラグ４４及び電源コード４５を介して温水洗浄装置等へ給電される。
【特許文献１】特開２００４−６０３３２
【特許文献２】特開２００５−１６８７１９
【発明の開示】
【発明が解決しようとする課題】
【００１１】
複数のメインスイッチを備えたリモコンや衛生洗浄装置において、上記のようにメインスイッチとその設定条件を変更するためのサブスイッチとが離隔していると、メインスイッチの設定条件を調節するにはどのサブスイッチを操作したら良いのか分かりにくい。
【００１２】
本発明は、このような問題点を解決し、メインスイッチの設定条件を調節するためのサブスイッチを容易に認識することができるリモコン及び衛生洗浄装置を提供することを目的とする。
【課題を解決するための手段】
【００１３】
本発明（請求項１）のリモコンは、制御対象機器の少なくとも始動を行うためのメインスイッチと、該制御対象機器の設定条件を変更するためのサブスイッチとを有するリモコンにおいて、共通する設定条件を有したメインスイッチを複数個有しており、この共通設定条件を変更するための共通サブスイッチをそれぞれのメインスイッチに関連付ける形態にて配置したことを特徴とする。
【００１４】
請求項２のリモコンは、請求項１において、共通する設定条件を有したメインスイッチ同士がそれらの間に間隔をあけて配置され、前記共通サブスイッチがこれらのメインスイッチ同士の間に配置されていることを特徴とする。
【００１５】
請求項３のリモコンは、請求項２において、該共通サブスイッチは、該メインスイッチ同士を結ぶ方向に延在していることを特徴とする。
【００１６】
請求項４のリモコンは、請求項２又は３において、前記リモコンは壁面に設置されるものであり、前記メインスイッチとして、該リモコンの前面の左側及び右側の一方に第１のメインスイッチが配置され、他方に第２のメインスイッチが配置され、該第１のメインスイッチ、共通サブスイッチ及び第２のメインスイッチの下方に、制御対象機器の停止を行うための止スイッチが左右方向に延在して配置されていることを特徴とする。
【００１７】
請求項５のリモコンは、請求項４において、第１のメインスイッチの下部は第２のメインスイッチよりも下方に延在しており、該第１のメインスイッチの設定条件のみを変更するための単独サブスイッチが、該第１のメインスイッチの下部における第２のメインスイッチ側の側方に配置されていることを特徴とする。
【００１８】
請求項６のリモコンは、請求項５において、前記共通サブスイッチ及び単独サブスイッチは左右方向に延在しており、該共通サブスイッチ及び単独サブスイッチの左右方向の長さが略同一であることを特徴とする。
【００１９】
請求項７のリモコンは、請求項２又は３において、前記リモコンは壁面に設置されるものであり、前記メインスイッチとして、該リモコンの前面の上部及び下部の一方に第１のメインスイッチが配置され、他方に第２のメインスイッチが配置され、該第１のメインスイッチ、共通サブスイッチ及び第２のメインスイッチの側方に、制御対象機器の停止を行うための止スイッチが上下方向に延在して配置されていることを特徴とする。
【００２０】
請求項８のリモコンは、請求項７において、第１のメインスイッチの一方の側部は第２のメインスイッチの該一方の側部よりも該一方の側方に延在しており、該第１のメインスイッチの設定条件のみを変更するための単独サブスイッチが、該第１のメインスイッチの該一方の延在部分における第２のメインスイッチ側に配置されていることを特徴とする。
【００２１】
請求項９のリモコンは、請求項８において、前記共通サブスイッチ及び単独サブスイッチは上下方向に延在しており、該共通サブスイッチ及び単独サブスイッチの上下方向の長さが略同一であることを特徴とする。
【００２２】
請求項１０のリモコンは、請求項１において、共通する設定条件を有したメインスイッチが複数個並列に配置され、前記共通サブスイッチがこれらの並列された複数のメインスイッチに沿って延在していることを特徴とする。
【００２３】
請求項１１のリモコンは、請求項１０において、前記複数のメインスイッチに沿って複数の共通サブスイッチが平行に配置されていることを特徴とする。
【００２４】
請求項１２のリモコンは、請求項１１において、１個のメインスイッチの設定条件のみを変更するための単独サブスイッチが、前記共通サブスイッチを挟んで該メインスイッチと反対側に配置されていることを特徴とする。
【００２５】
請求項１３の衛生洗浄装置は、スイッチ設置部を備えた衛生洗浄装置であって、該スイッチ設置部には、制御対象機器の少なくとも始動を行うためのメインスイッチと、該制御対象機器の設定条件を変更するためのサブスイッチとが設けられている衛生洗浄装置において、共通する設定条件を有したメインスイッチが複数個設けられており、この共通設定条件を変更するための共通サブスイッチがそれぞれのメインスイッチに関連付ける形態にて配置されていることを特徴とするものである。
【００２６】
請求項１４の衛生洗浄装置は、請求項１３において、共通する設定条件を有したメインスイッチ同士がそれらの間に間隔をあけて配置され、前記共通サブスイッチがこれらのメインスイッチ同士の間に配置されていることを特徴とするものである。
【００２７】
請求項１５の衛生洗浄装置は、請求項１４において、該共通サブスイッチは、該メインスイッチ同士を結ぶ方向に延在していることを特徴とするものである。
【発明の効果】
【００２８】
本発明のリモコン（請求項１）及び衛生洗浄装置（請求項１３）にあっては、複数のメインスイッチに共通する設定条件を変更するための共通サブスイッチを、メインスイッチに関連づける形態にて配置している。そのため、各メインスイッチに共通する設定条件のうち、或るメインスイッチに係る設定条件を変更する場合には、複数個設けられた共通のサブスイッチのうちいずれの共通サブスイッチを操作すればよいのか容易に認識することができる。
【００２９】
請求項２のリモコン及び請求項１４の衛生洗浄装置にあっては、メインスイッチ同士の間に共通サブスイッチを配置しているので、この共通サブスイッチが、該共通サブスイッチの両側のメインスイッチの設定条件を変更するためのものであることを容易に認識することができる。
【００３０】
請求項３のリモコン及び請求項１５の衛生洗浄装置にあっては、共通サブスイッチがメインスイッチ同士を結ぶ方向に延在しているので、当該共通サブスイッチが、その延在方向の延長方向に位置するメインスイッチの設定条件変更用であることを容易に認識することができる。
【００３１】
請求項４のリモコンにあっては、第１メインスイッチ、共通サブスイッチ及び第２のメインスイッチの下方に止スイッチが左右方向に延在して配置されているので、止スイッチは第１及び第２のメインスイッチに共通して作動停止用に操作されるものであることを容易に認識することができる。
【００３２】
請求項５のリモコンにあっては、第１のメインスイッチの設定条件のみを変更するための単独サブスイッチが第１のメインスイッチの下部側方に配置されており、この単独サブスイッチが第１のメインスイッチ専用のものであることを容易に認識することができる。
【００３３】
即ち、この単独サブスイッチが第２のメインスイッチから外れた位置に配置されているので、第２のメインスイッチに関連しないものであることを容易に認識することができる。
【００３４】
請求項６のリモコンによると、同一長さの共通サブスイッチ及び単独サブスイッチが平行に配置されているので、それぞれ設定条件変更操作用のものであることが認識し易くなる。また、外観上の見栄えも良好となる。
【００３５】
請求項７のリモコンにあっては、第１メインスイッチ、共通サブスイッチ及び第２のメインスイッチの側方に止スイッチが上下方向に延在して配置されているので、止スイッチは第１及び第２のメインスイッチに共通して作動停止用に操作されるものであることを容易に認識することができる。
【００３６】
請求項８のリモコンにあっては、第１のメインスイッチの設定条件のみを変更するための単独サブスイッチが第１のメインスイッチの延在部分における第２のメインスイッチ側に配置されており、この単独サブスイッチが第１のメインスイッチ専用のものであることを容易に認識することができる。
【００３７】
即ち、この単独サブスイッチが第２のメインスイッチから外れた位置に配置されているので、第２のメインスイッチに関連しないものであることを容易に認識することができる。
【００３８】
請求項９のリモコンによると、同一長さの共通サブスイッチ及び単独サブスイッチが平行に整列配置されているので、それぞれ設定条件変更操作用のものであることが認識し易くなる。また、外観上の見栄えも良好となる。
【００３９】
請求項１０のリモコンにあっては、メインスイッチが複数並列され、これらのメインスイッチに沿って共通サブスイッチが延在しているので、該共通サブスイッチが各メインスイッチに共通する設定条件変更用のものであることを容易に認識することができる。
【００４０】
請求項１１のリモコンにあっては、複数の共通サブスイッチがいずれも各メインスイッチの設定条件変更用のものであることを容易に認識することができる。
【００４１】
請求項１２のリモコンにあっては、単独サブスイッチが共通サブスイッチを挟んでメインスイッチの反対側に配置されているので、この単位サブスイッチがこのメインスイッチの設定条件変更専用のものであることを容易に認識することができる。
【発明を実施するための最良の形態】
【００４２】
以下、図面を参照して実施の形態について説明する。第１図〜第５図はいずれも本発明の実施の形態に係る、温水洗浄便座用リモコンの正面図である。
【００４３】
これらのリモコンは、トイレルームの壁面やキャビネット等に、前面が縦面（略鉛直面）となるように設置されるものである。各リモコンの正面視形状は、方形であり、上辺及び下辺が水平となり、左辺及び右辺が鉛直方向となるように設置される。
【００４４】
この温水洗浄便座には、便座に着座した人の肛門を洗浄するための洗浄ノズルと、ビデノズルと、これらノズルに温水を供給するための温水供給装置とが設けられると共に、さらに、臀部に向って温風を吹き付けるための乾燥装置が設けられることもある。これらの装置は、洋風便器の後部上面の便座ボックス又はロータンクカバー内に設置されている。
【００４５】
この実施の形態では、便座ボックス又はロータンクカバーに取り付けられた便座を開閉（起倒）回動させる電動装置が設けられている。
【００４６】
また、この実施の形態では、温水洗浄便座には、便器に鉢洗浄水を供給する電動式の便器洗浄装置が設けられている。この便器洗浄装置は、便器を大便使用したときには多量の洗浄水を供給し、小便使用したときには、少量の洗浄水を供給するように給水量を切り替えるよう構成されている。
【００４７】
上記の各ノズルは、便座ボックス又はロータンクカバーから前進（突出）して上方に温水を噴出するよう構成されている。この実施の形態では、このノズルの前進位置を前後調節するための洗浄位置調節装置が設けられている。
【００４８】
この実施の形態では、ノズルからの噴出水量を調節して洗浄強さを調節するための洗浄強さ調節装置が設けられている。
【００４９】
この実施の形態では、洗浄水の噴出中にノズルの前進限位置を周期的に前後にストロークさせるワイド洗浄機能が設けられている。また、洗浄水の噴出中にビデノズルの前進限位置を周期的に前後にストロークさせるためのスーパーワイド洗浄機能が設けられることもある。なお、ビデノズルのスーパーワイド洗浄は、ワイド洗浄よりもストロークが大きくなっている。
【００５０】
この実施の形態では、洗浄ノズルからの噴出水量を周期的に増減させるマッサージ機能が設けられている。また、洗浄ノズルからの噴出面積を大きくしたり、洗浄水に空気（気泡）を入れたりすることにより洗浄感を柔かくするマイルド機能が設けられている。
【００５１】
［第１図のリモコン］
第１図のリモコン１では、メインスイッチとして、前面の左側に洗浄ノズル始動用おしり洗浄スイッチ２が設けられ、右側にビデスイッチ３が設けられている。共通サブスイッチとして、これらのスイッチ２，３の間に洗浄位置調節用の洗浄位置スイッチ４、洗浄強さ調節用の洗浄強さスイッチ５、ノズルからの噴出水温を調節するための水温スイッチ６、及びワイド機能入切用のワイドスイッチ７が設けられている。
【００５２】
この実施の形態では、おしり洗浄スイッチ２とビデスイッチ３とは、上下方向に長い略長方形であり、各々の上辺の高さは等しいものとなっている。スイッチ２，３は横並びしており、スイッチ２，３を結ぶ方向は水平方向である。おしり洗浄スイッチ２は、ビデスイッチ３よりも上下方向の長さが大きく、おしり洗浄スイッチ２の下辺はビデスイッチ３の下辺よりも下位となっている。
【００５３】
このおしり洗浄スイッチ２の下部の右側方には、単独サブスイッチとして、マイルド機能入切用のマイルドスイッチ８と、マッサージ機能入切用のマッサージスイッチ９とが設けられている。マイルドスイッチ８及びマッサージスイッチ９はビデスイッチ３よりも下位に配置されている。
【００５４】
各スイッチ４〜９はいずれも左右方向に延在した細長い略長方形状である。各スイッチ４〜９の左辺は上下に一直線をなすように配列され、各スイッチ４〜９の右辺も上下に一直線をなすように配列されている。おしり洗浄スイッチ２、洗浄位置スイッチ４及びビデスイッチ３は、それらの上辺が左右に一直線となるように配列されている。おしり洗浄スイッチ２とマッサージスイッチ９とは、それらの下辺が左右に一直線となるように配列されている。なお、ワイドスイッチ７の下辺とビデスイッチ３の下辺とを一直線状に揃えてもよい。
【００５５】
リモコン１の下辺に沿っておしり洗浄及びビデ洗浄を停止させるための止スイッチ１０が設けられている。この止スイッチ１０は、おしり洗浄スイッチ２の下方からサブスイッチ４〜９の下方を経てビデスイッチ３の下方にまで延在する横長の略長方形状となっている。止スイッチ１０の左辺はおしり洗浄スイッチ２の左辺と一直線状に揃っており、止スイッチ１０の右辺はビデスイッチ３の右辺と一直線状に揃っている。
【００５６】
リモコン１の上辺に沿って、便座開閉スイッチ１１、便器の大便使用時洗浄用のスイッチ１２及び便器の小便使用時洗浄用のスイッチ１３がそれぞれ設けられている。
【００５７】
このように構成された第１図のリモコン１にあっては、左右に配置されたおしり洗浄スイッチ２とビデスイッチ３との間に共通スイッチとして洗浄位置調節スイッチ４、洗浄強さ調節スイッチ５、水温スイッチ６、ワイドスイッチ７が設けられており、これらのスイッチ４〜７がおしり洗浄スイッチ２とビデスイッチ３とによって始動するおしり洗浄及びビデ洗浄の設定条件を変更するためのものであることを容易に認識することができる。
【００５８】
また、おしり洗浄スイッチ２の右側方にのみマイルドスイッチ８とマッサージスイッチ９とが設けられているので、これらのスイッチ８，９がおしり洗浄の設定条件の変更専用のものであることを容易に認識することができる。この場合、スイッチ８，９がビデスイッチ３の左側方には位置していないので、ビデスイッチ３には関連しないものであることが明瞭となる。
【００５９】
特に、この実施の形態では、スイッチ４〜９を細長く左右に延在させ、各スイッチ４〜９の左端をおしり洗浄スイッチ２の右辺に近接させ、スイッチ４〜７の右端をビデスイッチ３の左辺に近接させているので、スイッチ４〜９がおしり洗浄に関連し、スイッチ４〜７がおしり洗浄及びビデ洗浄の双方に関連するものであることをきわめて容易に認識することができる。
【００６０】
この実施の形態では、止スイッチ１０がおしり洗浄スイッチ２からビデスイッチ３にまで跨がって延在しているので、止スイッチ１０がおしり洗浄及びビデ洗浄の双方の停止に用いられることも容易に認識することができる。
【００６１】
［第２図のリモコン］
第２図のリモコン１Ａは、第１図のリモコン１において、ビデスイッチ３の右側に温風吹出用の乾燥スイッチ１４を設けたものである。止スイッチ１０は、この乾燥スイッチ１４の下方にまで延在している。止スイッチ１０の右辺は乾燥スイッチ１４の右辺と揃っている。
【００６２】
その他の構成は第１図と同様であり、同一符号は同一部分を示している。
【００６３】
この実施の形態でも第１図のリモコンと同様の効果が奏される。なお、この実施の形態では、乾燥スイッチ１４の下方に止スイッチ１０が存在しているので、乾燥動作の停止も止スイッチ１０で行われることを容易に認識することができる。
【００６４】
［第３図のリモコン］
第３図のリモコン１Ｂは、スイッチ１１〜１３を除き、第１図のリモコン１を時計回り方向に９０°回転させ、おしり洗浄スイッチ２の右側に乾燥スイッチ１４を配置したものである。
【００６５】
この実施の形態では、おしり洗浄スイッチ２とビデスイッチ３とは、左右方向に長い略長方形であり、上下に間隔をあけて配置され、各々の左辺が揃っている。おしり洗浄スイッチ２は上部に設けられ、ビデスイッチ３は下部に設けられている。従って、スイッチ２，３を結ぶ方向は上下方向である。おしり洗浄スイッチ２は、ビデスイッチ３よりも左右方向の長さが大きく、おしり洗浄スイッチ２の右辺はビデスイッチ３の右辺よりも右方となっている。
【００６６】
このおしり洗浄スイッチ２の下部の右側方には、単独サブスイッチとして、マイルド機能入切用のマイルドスイッチ８と、マッサージ機能入切用のマッサージスイッチ９とが設けられている。マイルドスイッチ８及びマッサージスイッチ９はビデスイッチ３よりも右方に配置されている。
【００６７】
各スイッチ４〜９はいずれも上下方向に延在した細長い略長方形状である。各スイッチ４〜９の上辺は左右に一直線をなすように配列され、各スイッチ４〜９の下辺も上下に一直線をなすように配列されている。おしり洗浄スイッチ２、洗浄位置スイッチ４及びビデスイッチ３は、それらの左辺が上下に一直線となるように配列されている。おしり洗浄スイッチ２とマッサージスイッチ９とは、それらの右辺が上下に一直線となるように配列されている。なお、ワイドスイッチ７の右辺とビデスイッチ３の右辺とは一直線状に揃っている。
【００６８】
リモコン１Ｂの左辺に沿っておしり洗浄及びビデ洗浄を停止させるための止スイッチ１０が設けられている。この止スイッチ１０は、おしり洗浄スイッチ２の左方からサブスイッチ４の左方を経てビデスイッチ３の左方にまで延在する縦長の略長方形状となっている。止スイッチ１０の上辺はおしり洗浄スイッチ２の上辺と一直線状に揃っており、止スイッチ１０の下辺はビデスイッチ３の下辺と一直線状に揃っている。
【００６９】
リモコン１Ｂの上辺に沿って、第１図及び第２図と同様に便座開閉スイッチ１１、便器の大便使用時洗浄用のスイッチ１２及び便器の小便使用時洗浄用のスイッチ１３がそれぞれ設けられている。
【００７０】
このように構成された第３図のリモコン１Ｂにあっては、上部及び下部に配置されたおしり洗浄スイッチ２とビデスイッチ３との間に共通スイッチとして洗浄位置調節スイッチ４、洗浄強さ調節スイッチ５、水温スイッチ６、ワイドスイッチ７が設けられており、これらのスイッチ４〜７がおしり洗浄スイッチ２とビデスイッチ３とによって始動するおしり洗浄及びビデ洗浄の設定条件を変更するためのものであることを容易に認識することができる。
【００７１】
また、おしり洗浄スイッチ２の右側の下方にのみマイルドスイッチ８とマッサージスイッチ９とが設けられているので、これらのスイッチ８，９がおしり洗浄の設定条件の変更専用のものであることを容易に認識することができる。この場合、スイッチ８，９がビデスイッチ３の上方には位置していないので、ビデスイッチ３には関連しないものであることが明瞭となる。
【００７２】
特に、この実施の形態では、スイッチ４〜９を細長く上下に延在させ、各スイッチ４〜９の上端をおしり洗浄スイッチ２の下辺に近接させ、スイッチ４〜７の下端をビデスイッチ３の上辺に近接させているので、スイッチ４〜９がおしり洗浄に関連し、スイッチ４〜７がおしり洗浄及びビデ洗浄の双方に関連するものであることをきわめて容易に認識することができる。
【００７３】
この実施の形態では、止スイッチ１０がおしり洗浄スイッチ２からビデスイッチ３にまで跨がって延在しているので、止スイッチ１０がおしり洗浄及びビデ洗浄の双方の停止に用いられることも容易に認識することができる。さらに、この実施の形態では、乾燥スイッチ１４の左方に止スイッチ１０が存在しているので、乾燥動作の停止も止スイッチ１０で行われることを容易に認識することができる。
【００７４】
［第４図のリモコン］
第４図のリモコン１Ｃでは、前面の上部中央のやや左側におしり洗浄スイッチ２が設けられ、上部中央のやや右側にビデスイッチ３が設けられている。共通サブスイッチとして、これらのスイッチ２，３の下側に洗浄位置スイッチ４、洗浄強さスイッチ５、水温スイッチ６、及びワイドスイッチ７が設けられている。
【００７５】
この実施の形態では、おしり洗浄スイッチ２とビデスイッチ３とは、略同一大きさの長方形であり、各々の配置高さは等しいものとなっている。
【００７６】
おしり洗浄スイッチ２の下方には、単独サブスイッチとして、マイルドスイッチ８と、マッサージスイッチ９とが配置されている。ビデスイッチ３の下方には単独サブスイッチとしてスーパーワイドスイッチ１５が配置されている。マイルドスイッチ８とスーパーワイドスイッチ１５は左右に並列している。
【００７７】
各スイッチ４〜７はいずれも左右方向に延在した細長い略長方形状である。各スイッチ２，４〜７の左辺は上下に一直線をなすように配列され、各スイッチ３〜７の右辺も上下に一直線をなすように配列されている。なお、スイッチ８，９の左辺は各スイッチ２，４〜７の左辺と一直線状となっており、スーパーワイドスイッチ１５の右辺は各スイッチ３〜７の右辺と一直線状となっている。スイッチ８，９の左右幅はスイッチ２の左右幅と略同一であり、スイッチ１５の左右幅はスイッチ３と略同一である。
【００７８】
おしりスイッチ２の左側に止スイッチ１０が設けられている。ビデスイッチ３の右側には乾燥スイッチ１４が配置されている。
【００７９】
この実施の形態では、止スイッチ１０及び乾燥スイッチ１４は略方形であり、それらの上辺はおしり洗浄スイッチ２及びビデスイッチ３の上辺と一直線状に揃っており、下辺はおしり洗浄スイッチ２及びビデスイッチ３の下辺と一直線状に揃っている。
【００８０】
リモコン１の上辺に沿って、便座開閉スイッチ１１、便器の大便使用時洗浄用のスイッチ１２及び便器の小便使用時洗浄用のスイッチ１３がそれぞれ設けられている。
【００８１】
このように構成された第４図のリモコン１Ｃにあっては、上部に配置されたおしり洗浄スイッチ２とビデスイッチ３の下側に共通スイッチとして洗浄位置調節スイッチ４、洗浄強さ調節スイッチ５、水温スイッチ６、ワイドスイッチ７が平行に多段に設けられており、これらのスイッチ４〜７がおしり洗浄スイッチ２とビデスイッチ３とによって始動するおしり洗浄及びビデ洗浄の設定条件を変更するためのものであることを容易に認識することができる。
【００８２】
また、おしり洗浄スイッチ２の下方にのみマイルドスイッチ８とマッサージスイッチ９とが設けられているので、これらのスイッチ８，９がおしり洗浄の設定条件の変更専用のものであることを容易に認識することができる。また、同様に、スーパーワイドスイッチ１５がビデスイッチ３の下方にのみ配置されているので、このスイッチ１５がビデ洗浄にのみ関連するものであることを容易に認識することができる。
【００８３】
特に、この実施の形態では、スイッチ４〜７を細長く左右に延在させ、各スイッチ４〜７の左端をおしり洗浄スイッチ２の左端と一直線状とし、スイッチ４〜７の右端をビデスイッチ３の左辺と一直線状としているので、スイッチ４〜７がおしり洗浄及びビデ洗浄の双方に関連するものであることをきわめて容易に認識することができる。
【００８４】
この実施の形態では、止スイッチ１０がおしり洗浄スイッチ２、ビデスイッチ３および乾燥スイッチ１４の側方に配置されているので、止スイッチ１０がおしり洗浄、ビデ洗浄及び乾燥の停止に用いられることも容易に認識することができる。
【００８５】
［第５図のリモコン］
第５図のリモコン１Ｄは、スイッチ１１〜１３を除き、第４図のリモコン１Ｃを反時計回り方向に９０°回転させ、おしり洗浄スイッチ２と乾燥スイッチ１４とを上下入れ替え、止スイッチ１０をおしりスイッチ２の上側に配置し、乾燥スイッチ１４をビデスイッチ３の下側に配置したものである。スイッチ１１〜１３は第１図の場合と同様にリモコン１Ｄの上辺に配置されている。
【００８６】
詳細に説明すると、このリモコン１Ｄでは、メインスイッチとして、左側の中央よりもやや上側におしり洗浄スイッチ２が設けられ、その下側にビデスイッチ３が設けられている。共通サブスイッチとして、これらのスイッチ２，３の右側に洗浄位置スイッチ４、洗浄強さスイッチ５、水温スイッチ６、及びワイドスイッチ７が設けられている。
【００８７】
この実施の形態では、おしり洗浄スイッチ２とビデスイッチ３とは、略正方形であり、スイッチ１０，２，３，１４の左辺は一直線状となっており、右辺も一直線状となっている。
【００８８】
リモコン１Ｄの右辺近傍においては、おしり洗浄スイッチ２の右側方にマイルドスイッチ８と、マッサージスイッチ９とが設けられており、ビデスイッチ３の右側方にはスーパーワイドスイッチ１５が配置されている。このスーパーワイドスイッチ１５はマイルドスイッチ９の下側に配置されている。
【００８９】
各スイッチ４〜７はいずれも上下方向に延在した細長い略長方形状である。スイッチ８，９，１５はスイッチ４〜７の約半分の長さであり、縦長に配置されている。各スイッチ２，４〜９の上辺は左右に一直線をなすように配列され、各スイッチ３，４〜７，１５の下辺も左右に一直線をなすように配列されている。なお、マイルドスイッチ８及びマッサージスイッチ９の下辺とおしり洗浄スイッチ２の下辺とが同一高さとされてもよく、スーパーワイドスイッチ１５の上辺とビデスイッチ３の上辺とが同一高さとされてもよい。
【００９０】
このリモコン１Ｄによっても、第５図のリモコン１Ｃと同様の効果が奏される。
【００９１】
なお、第１，２，４図のように共通サブスイッチを左右横長に配置した場合、洗置位置スイッチ４が洗浄位置を前後移動させるためのものであることを容易に認識することができる。第３，５図のように共通サブスイッチを上下縦長に配置した場合、洗浄強さスイッチ５における洗浄強さの「強」をスイッチ５の上側と合致させ、洗浄強さの「弱」をスイッチ５の下側と合致させることにより、強弱調節操作を容易に行うことができる。また、水温スイッチ６においても、水温「高」「低」をスイッチ６の「上」「下」と合致させることにより、水温調節操作を容易に行うことができる。
【００９２】
上記実施の形態は本発明の一例であり、本発明は図示の形態に限定されない。例えば、本発明では上記の各リモコンにおいて左右対称又は上下対称としたスイッチ配列としてもよい。また、図示以外のスイッチを設けてもよい。
【００９３】
上記実施の形態はリモコンに関するものであるが、上記各実施の形態と同一のスイッチ配列にて各スイッチを衛生洗浄装置の張出部の上面のスイッチ設置部（例えば第６図のスイッチパネル３５）に設けてもよい。この場合、各図の上方は着座者から見て遠ざかる方向となり、各図の下方は着座者に接近する方向となる。
【図面の簡単な説明】
【００９４】
【図１】実施の形態に係るリモコンの正面図である。
【図２】実施の形態に係るリモコンの正面図である。
【図３】実施の形態に係るリモコンの正面図である。
【図４】実施の形態に係るリモコンの正面図である。
【図５】実施の形態に係るリモコンの正面図である。
【図６】衛生洗浄装置を備えた洋風便器の斜視図である。
【符号の説明】
【００９５】
１，１Ａ，１Ｂ，１Ｃ，１Ｄ  リモコン
２  おしり洗浄スイッチ
３  ビデスイッチ
４  洗浄位置スイッチ
５  洗浄強さスイッチ
６  水温スイッチ
７  ワイドスイッチ
８  マイルドスイッチ
９  マッサージスイッチ
１０  止スイッチ
１４  乾燥スイッチ
３１  洋風便器
３３  便座ボックス
３４  張出部
３５  スイッチパネル（スイッチ設置部）
【図１】
2010043500.tif 000003
【図２】
2010043500.tif 000004
【図３】
2010043500.tif 000005
【図４】
2010043500.tif 000006
【図５】
2010043500.tif 000007
【図６】
2010043500.tif 000008